(57)【要約】  表示領域（１２）と、表示領域（１２）に接続されたリード線領域（１４）と、を含む表示パネル（１０）である。リード線領域（１４）には、表示領域（１２）と外部回路とを接続するためのリード線（１４２）が形成される。リード線領域（１４）は、折り曲げ軸回りに折り曲げられて、折り曲げ領域（１４４）を形成する。リード線（１４２）は、折り曲げ軸に交差するとともに、折り曲げ領域（１４４）を直線に横切る。表示パネル（１０）において、リード線領域（１４）は、折り曲げ軸回りに表示領域（１２）の裏面まで折り曲げることができ、これにより表示パネル（１０）の額縁が小さくなり、表示パネル（１０）に対する表示領域（１２）の比率が向上する。また、リード線（１４２）が折り曲げ領域を直線に横切るため、リード線（１４２）が折り曲げ軸回りに折り曲げられた時に受ける側方の応力を小さくし、リード線（１４２）の折り曲げ状態での不具合の発生確率を低くすることができる。  【選択図】図２
2019533200.tif 000002
【特許請求の範囲】
【請求項１】
表示領域と、
前記表示領域に接続されたリード線領域と、を含む表示パネルであって、
前記リード線領域には、前記表示領域と外部回路とを接続するためのリード線が形成され、前記リード線領域は、折り曲げ軸回りに折り曲げられて折り曲げ領域を形成し、前記リード線は、前記折り曲げ軸と交差するとともに、前記折り曲げ領域を直線に横切る、
ことを特徴とする表示パネル。
【請求項２】
前記表示パネルは、フレキシブル表示パネルを含む、
ことを特徴とする請求項１に記載の表示パネル。
【請求項３】
前記表示パネルは、フレキシブルＯＬＥＤを含む、
ことを特徴とする請求項１に記載の表示パネル。
【請求項４】
前記表示領域及び前記リード線領域が平らに展開されている時に、前記表示パネルが矩形であり、
前記表示領域は、矩形であるとともに、垂直に接続された第１の接続辺及び第２の接続辺を含み、
前記リード線領域は、前記第１の接続辺と前記第２の接続辺とに接続される、
ことを特徴とする請求項１に記載の表示パネル。
【請求項５】
前記リード線は、少なくとも１束のリード線を含み、同一の束の前記リード線の長さが同じである、
ことを特徴とする請求項１に記載の表示パネル。
【請求項６】
同一の束の前記リード線は、
前記表示領域に接続されるとともに、平行に配置された第１の直線セクションと、
前記第１の直線セクションに接続されるとともに、三角状に収束して配置された斜線セクションと、
前記斜線セクションに接続されるとともに、前記折り曲げ領域を直線に横切る折れ線セクションと、
前記折れ線セクションに接続されるとともに、平行に配置された第２の直線セクションと、を含み、
複数の前記第１の直線セクションの配置幅が複数の前記第２の直線セクションの配置幅よりも大きい、
ことを特徴とする請求項５に記載の表示パネル。
【請求項７】
前記折れ線セクションは、前記折り曲げ領域を複数回直線に横切る、
ことを特徴とする請求項６に記載の表示パネル。
【請求項８】
複数の前記折れ線セクションが前記折り曲げ領域を横切る回数は、等しい、
ことを特徴とする請求項６に記載の表示パネル。
【請求項９】
前記リード線と前記折り曲げ軸との夾角の範囲が６０°〜１２０°である、
ことを特徴とする請求項１に記載の表示パネル。
【請求項１０】
前記リード線は、前記折り曲げ軸に垂直である、
ことを特徴とする請求項１に記載の表示パネル。
【発明の詳細な説明】
【技術分野】
【０００１】
本発明は、表示技術分野に関し、特に表示パネルに関する。
【背景技術】
【０００２】
関連技術において、表示パネルは、表示領域と、表示領域を接続するリード線領域とを含み、リード線領域には、表示領域と外部制御回路とを接続するリード線が形成される。表示パネルに対する表示領域の比率を向上させるために、リード線領域は、通常、折り曲げて設置される。しかしながら、従来のリード線では、配置が不適切で、リード線が折り曲げ軸に沿って延在して配置されることがあるため、リード線が側方の力を受けて、リード線の不具合が発生してしまう。
【発明の概要】
【発明が解決しようとする課題】
【０００３】
本発明の目的は、従来技術における少なくとも１つの技術的課題を解決することである。そのため、本発明は、表示パネルを提供する。
【課題を解決するための手段】
【０００４】
本発明の実施形態に係る表示パネルは、
表示領域と、
前記表示領域に接続されたリード線領域と、を含み、
前記リード線領域には、前記表示領域と外部回路とを接続するためのリード線が形成され、前記リード線領域は、折り曲げ軸回りに折り曲げられて折り曲げ領域を形成し、前記リード線は、前記折り曲げ軸と交差するとともに、前記折り曲げ領域を直線に横切る。
【０００５】
本発明の実施形態に係る表示パネルでは、リード線領域は、表示領域の裏面まで折り曲げ軸回りに折り曲げることができ、これにより表示パネルの額縁が小さくなり、表示パネルに対する表示領域の比率が向上する。また、リード線が折り曲げ領域を直線に横切るため、リード線が折り曲げ軸回りに折り曲げられた時に受ける側方の応力を小さくし、リード線の折り曲げ状態での不具合の発生確率を低くすることができる。
【０００６】
一部の実施形態では、前記表示パネルは、フレキシブル表示パネルを含む。
【０００７】
一部の実施形態では、前記表示パネルは、フレキシブルＯＬＥＤを含む。
【０００８】
一部の実施形態では、前記表示領域及び前記リード線領域が平らに展開されている時に、前記表示パネルが矩形であり、
前記表示領域は、矩形であるとともに、垂直に接続された第１の接続辺及び第２の接続辺を含み、
前記リード線領域は、前記第１の接続辺と前記第２の接続辺とに接続される。
【０００９】
一部の実施形態では、前記リード線は、少なくとも１束のリード線を含み、同一の束の前記リード線の長さが同じである。
【００１０】
一部実施形態では、同一の束の前記リード線は、
前記表示領域に接続されるとともに、平行に配置された第１の直線セクションと、
前記第１の直線セクションに接続されるとともに、三角状に収束して配置された斜線セクションと、
前記斜線セクションに接続されるとともに、前記折り曲げ領域を直線に横切る折れ線セクションと、
前記折れ線セクションに接続されるとともに、平行に配置された第２の直線セクションと、を含み、
複数の前記第１の直線セクションの配置幅が複数の前記第２の直線セクションの配置幅よりも大きい。
【００１１】
一部の実施形態では、前記折れ線セクションは、前記折り曲げ領域を複数回直線に横切る。
【００１２】
一部の実施形態では、複数の前記折れ線セクションが前記折り曲げ領域を横切る回数は、等しい。
【００１３】
一部の実施形態では、前記リード線と前記折り曲げ軸との夾角の範囲が６０°〜１２０°である。
【００１４】
一部の実施形態では、前記リード線は、前記折り曲げ軸に垂直である。
【００１５】
本発明の付加的な特徴及び利点は、一部が以下の説明に示され、一部が以下の説明により明らかになるか、又は、本発明の実施により理解され得る。
【図面の簡単な説明】
【００１６】
本発明の上記及び／又は付加的な特徴及び利点は、下記の図面を参照した実施形態を説明することにより、明らかになり、理解され易くなる。
【図１】本発明の実施形態に係る表示パネルの構成模式図である。
【図２】本発明の実施形態に係るリード線の構成模式図である。
【図３】本発明の他の実施形態に係る表示パネルの構成模式図である。
【図４】本発明の他の実施形態に係る表示パネルの構成模式図である。
【発明を実施するための形態】
【００１７】
以下に、本発明の実施形態を詳細に説明する。前記実施形態の例が図面に示されるが、同一又は類似する符号は、常に、同一又は類似する部品、或いは、同一又は類似する機能を有する部品を表す。以下に、図面を参照しながら説明される実施形態は例示するものであり、本発明を解釈するためだけに用いられ、本発明を限定するものと理解してはいけない。
【００１８】
なお、本発明の実施形態の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。なお、「第１」、「第２」の用語は目的を説明するためのものに過ぎなく、相対的な重要性を指示又は暗示するか、或いは示された技術的特徴の数を黙示的に指示すると理解してはいけない。ここで、「第１」、「第２」が限定されている特徴は１つ又はより多くの前記特徴を含むことを明示又は暗示し得るものである。本発明の説明において、明確且つ具体的な限定がない限り、「複数」とは、二つ以上のことを意味する。
【００１９】
なお、本発明の実施形態の説明において、明確な規定及び限定がない限り、「取り付け」、「互いに接続」、「接続」の用語の意味は広く理解されるべきである。例えば、固定接続や、着脱可能な接続や、或いは一体的な接続でも可能である。機械的な接続や、電気的な接続や、或いは互いに通信することも可能である。直接的に接続することや、中間媒体を介して間接的に接続することや、二つの部品の内部が連通することや、或いは二つの部品の間に相互の作用関係があることも可能である。当業者にとって、具体的な状況に基づいて上記用語の本発明においての具体的な意味を理解することができる。
【００２０】
本発明の実施形態において、明確な規定及び限定がない限り、第１の特徴が第２の特徴の「上」又は「下」にあることは、第１の特徴と第２の特徴とが直接的に接触することを含んでもよいし、第１の特徴と第２の特徴とが直接的に接触することではなくそれらの間の別の特徴を介して接触することを含んでもよい。また、第１の特徴が第２の特徴の「上」、「上方」又は「上面」にあることは、第１の特徴が第２の特徴の真上及び斜め上にあることを含むか、或いは、単に第１の特徴の水平高さが第２の特徴より高いことだけを表す。第１の特徴が第２の特徴の「下」、「下方」又は「下面」にあることは、第１の特徴が第２の特徴の真下及び斜め下にあることを含むか、或いは、単に第１の特徴の水平高さが第２の特徴より低いことだけを表す。
【００２１】
以下の説明において、多くの異なる実施形態又は例を提供することにより本発明の実施形態の異なる構成を実現する。本発明の説明を簡潔にするため、以下に特定の例の部材及び配置について説明する。勿論、これらは例示に過ぎず、本発明を限定することを意図していない。また、本発明は、異なる例において参照数字及び／又は参照アルファベットを重複することができる。このような重複は、簡潔及び明瞭にするためのものであり、それ自体は検討する各種の実施例及び／又は配置の間の関係を示すものではない。また、本発明は、さまざまな特定のプロセス及び材料の例を挙げているが、当業者は、他のプロセスの適用及び／又は他の材料の使用も考えることが可能である。
【００２２】
図１及び図２を参照し、本発明の実施形態に係る表示パネル１０は、表示領域１２と、表示領域１２に接続されたリード線領域１４とを含む。リード線領域１４には、表示領域１２と外部回路２０とを接続するためのリード線１４２が形成される。リード線領域１４は、折り曲げ軸回りに折り曲げられて折り曲げ領域１４４を形成する。リード線１４２は、折り曲げ軸と交差するとともに、折り曲げ領域１４４を直線に横切る。
【００２３】
本発明の実施形態に係る表示パネル１０において、リード線領域１４は、表示領域１２の裏面まで折り曲げ軸回りに折り曲げることができ、これにより表示パネル１０の額縁が小さくなり、表示パネル１０に対する表示領域１２の比率が向上する。また、リード線１４２が折り曲げ領域１４４を直線に横切るため、リード線１４２が折り曲げ軸回りに折り曲げられた時に受ける側方の応力を小さくし、リード線１４２の折り曲げ状態での不具合の発生確率を低くすることができる。
【００２４】
なお、表示領域１２は、複数の表示画素を含み、これらの表示画素は、表示領域１２に接続された外部回路２０によって駆動又は制御されてもよい。リード線１４２は、表示領域１２と外部回路２０との間で信号を転送するためのものである。表示パネル１０は、外部回路２０を含んでもよい。
【００２５】
図１を再度参照し、一例では、外部回路２０は、回路基板２２と回路基板２２に設置されたドライバチップ２４とを含む。リード線１４２は、表示領域１２と回路基板２２とを接続する。
【００２６】
図３を参照し、他の例では、外部回路２０は、ドライバチップ２４を含む。リード線１４２は、表示領域１２とドライバチップ２４とを接続する。
【００２７】
具体的には、ドライバチップ２４は、ｇａｔｅ（ゲート）ドライバチップ及びＳＤ（ドレイン／ソース）ドライバチップであってもよい。
【００２８】
図４を参照し、一部の実施形態では、表示パネル１０は、表示領域１２の両側に設置されたＧＯＡ（Ｇａｔｅ  Ｄｒｉｖｅｒ  ｏｎ  Ａｒｒａｙ，アレイ基板ゲートドライバ）ユニット２６を含む。外部回路２０は、ＧＯＡユニット２６に接続される。
【００２９】
一部の実施形態では、表示パネル１０は、フレキシブル表示パネルを含む。
【００３０】
表示パネル１０がフレキシブル表示パネルである場合に、表示パネル１０は、折り曲げ可能なベースをさらに含んでもよい。このように、リード線領域１４のベースを折り曲げることにより、リード線１４２を折り曲げることができ、表示パネル１０の額縁の大きさのコントロールが実現され、表示パネル１０に対する表示領域１２の比率の最大化が実現される。
【００３１】
一部の実施形態では、表示パネル１０は、フレキシブルＯＬＥＤ（Ｏｒｇａｎｉｃ  Ｌｉｇｈｔ−Ｅｍｉｔｔｉｎｇ  Ｄｉｏｄｅ，有機発光ダイオード）を含む。
【００３２】
具体的には、フレキシブルＯＬＥＤは、消費電力が低く、折り曲げ可能という利点を有する。
【００３３】
一部の実施形態では、表示領域１２及びリード線領域１４が平らに展開されている時に、表示パネル１０は、矩形である。表示領域１２は、矩形であるとともに、垂直に接続された第１の接続辺１２２及び第２の接続辺１２４を含む。リード線領域１４は、第１の接続辺１２２と第２の接続辺１２４とに接続される。
【００３４】
このように、外部回路２０は、リード線１４２を介して、表示領域１２の表示を駆動又は制御することができる。
【００３５】
一部の実施形態では、リード線１４２は、少なくとも１束のリード線１４２を含み、同一の束のリード線１４２の長さが同じである。
【００３６】
具体的には、図３を例とし、図３における表示パネル１０は、６束のリード線１４２を含み、その中の３束のリード線１４２は、表示領域１２の第１の接続辺１２２に接続され、他の３束のリード線１４２は、表示領域１２の第２の接続辺１２４に接続される。各束のリード線１４２における複数のリード線１４２の長さが等しい。６束のリード線１４２に対応して、外部回路２０は、横方向の３つの回路基板２２及び回路基板２２に設置されたドライバチップ２４と、縦方向の３つのドライバチップ２４と、を含む。
【００３７】
リード線１４２が表示領域１２と外部回路２０との間で信号を伝送するため、信号の同期伝送を保証するために、好ましくは、同一の束のリード線１４２における各リード線１４２のスレッドが一致しており、即ち、長さが同じである。
【００３８】
図２を再度参照し、一部の実施形態では、同一の束のリード線１４２は、第１の直線セクション１４２２と、斜線セクション１４２４と、折れ線セクション１４２６と、第２の直線セクション１４２８と、を含む。第１の直線セクション１４２２は、表示領域１２に接続されるとともに、平行に配置される。斜線セクション１４２４は、第１の直線セクション１４２２に接続されるともに、三角状に収束して配置される。折れ線セクション１４２６は、斜線セクション１４２４に接続されるともに、折り曲げ領域１４４を直線に横切る。第２の直線セクション１４２８の一端は、折れ線セクション１４２６に接続されるともに、平行に配置される。第２の直線セクション１４２８の他端は、外部回路２０に接続される。複数の第１の直線セクション１４２２の配置幅ｄ１は、複数の第２の直線セクション１４２８の配置幅ｄ２よりも大きい。
【００３９】
このように、リード線１４２は、段階的に収束して収縮することができ、外部回路２０に接続され易くなり、占有スペースが少なくなる。また、折れ線セクション１４２６が折り曲げ領域１４４を直線に横切るため、折り曲げ領域１４４に曲がり角が発生することを回避し、折り曲げ領域１４４のリード線１４２が折り曲げられた後の不具合の発生確率を低くすることができる。
【００４０】
なお、本発明の実施形態に係る折り曲げ領域１４４には、曲がり角、及び横方向に配置されたリード線１４２が存在しないため、折り曲げ領域１４４の全体には、横方向の折り曲げ軸を設定することができる。
【００４１】
一部の実施形態では、折れ線セクション１４２６は、折り曲げ領域１４４を複数回直線に横切る。
【００４２】
このように、リード線１４２が複数回折り曲げられるため、リード線１４２の収容及びリード線領域１４の縦方向幅の減少に有利である。具体的には、折れ線セクション１４２６が折り曲げ領域１４４を直線に横切る回数は、リード線１４２の長さに合わせて設計することができる。
【００４３】
一部の実施形態では、複数の折れ線セクション１４２６が折り曲げ領域１４４を横切る回数は、等しい。
【００４４】
例えば、図２を例とし、全てのリード線１４２のそれぞれは、折り曲げ領域１４４を３回横切り、即ち、２回折り曲げられて３つのセクションの線分が形成される。このようにすることで、各折れ線セクション１４２６の横方向幅は一致し、即ち、隣接する２つの折れ線セクション１４２６の間隔距離が等しく、表示パネル１０の製造時のリード線１４２の配置が容易になる。
【００４５】
本発明の実施形態に係るリード線１４２の配置は、設計の複雑さ及びプロセスの統合の難しさを増加しない上で、各リード線１４２の長さが一致するとともに負荷が一致することを保証することができる。
【００４６】
なお、図２に示すようなリード線１４２の構成は、リード線１４２の１つの設計方式に過ぎず、他の実施形態では、リード線１４２は、必要に応じて他の折り曲げ及び配置形式を採用してもよい。
【００４７】
一部の実施形態では、リード線１４２と折り曲げ軸との夾角の範囲が６０°〜１２０°である。
【００４８】
リード線１４２が折り曲げ軸に沿って折り曲げられた場合には、リード線１４２は、折り曲げ軸に垂直となり、折り曲げ軸から両側方向への応力を受ける。リード線１４２と折り曲げ軸との夾角の範囲が６０°〜１２０°である場合には、リード線１４２が折り曲げられた時に受ける側方の応力が小さく、応力の主な成分がリード線に平行な方向であるため、リード線への影響が小さい。
【００４９】
一部の実施形態では、リード線１４２は、折り曲げ軸に垂直である。
【００５０】
以上のように、リード線１４２が折り曲げ軸に沿って折り曲げられた場合には、リード線１４２は、折り曲げ軸に垂直であり、折り曲げ軸から両側の方向への応力を受ける。本発明の実施形態では、リード線１４２は、折り曲げ軸に垂直であり、即ち、応力の方向は、リード線１４２に平行である。従って、リード線１４２が受ける側方の応力は、ゼロである。このようにすることで、リード線１４２の折り曲げ状態での不具合の発生確率を大きく低くすることができる。
【００５１】
本発明の実施形態に係る表示領域１２は、矩形に限定されず、表示領域１２が矩形ではなく、例えば、表示領域１２が円形又は平行四辺形等である場合に、リード線１４２は、同一の設計手法で配置された後、表示領域１２の出力端子に接続されてもよい。
【００５２】
本明細書の説明において、「１つの実施形態」、「一部の実施形態」、「例示的な実施形態」、「例」、「具体的な例」、或いは「一部の例」などの用語を参照した説明とは、前記実施形態或いは例を組み合わせて説明された具体的な特徴、構成、材料或いは特性が、本発明の少なくとも１つの実施形態或いは例に含まれることである。本明細書において、上記用語に対する例示的な説明は、必ずしも同じ実施形態或いは例を示すことではない。また、説明された具体的な特徴、構成、材料或いは特性は、いずれか１つ或いは複数の実施形態又は例において適切に結合することができる。
【００５３】
フローチャートにおける、又はここで他の形態で記載された任意のプロセス又は方法は、カスタムロジック機能又はプロセスのステップを実現するための１つ又は複数の実行可能な命令コードを含むモジュール、セグメント又は一部を表すと理解されてもよい。また、本発明の好ましい実施形態の範囲は、示された又は論議された順番ではなく、係る機能に応じてほぼ同時の形態又は逆の順番で機能を実行することができる他の実現を含むことができる。これは、当業者であれば理解すべきものである。
【００５４】
フローチャートで示された又はここで他の形態で説明されたロジック及び／又はステップは、例えば、ロジック機能を実現するための実行可能な命令の順番付けられたリストと見なすことができ、任意のコンピュータ読み取り可能な記憶媒体に具体的に実現されて、命令実行システム、装置、又はデバイス（例えば、コンピュータに基づいたシステム、プロセッサを含むシステム、又は他の命令実行システム、装置又はデバイスから命令を獲得して命令を実行するシステム）に利用されるか、又はこれらの命令実行システム、装置又はデバイスと組み合わせて利用される。本願明細書において、「コンピュータ読み取り可能な記憶媒体」は、命令実行システム、装置又はデバイスによって、又は、命令実行システム、装置又はデバイスと組み合わせて使用するためのプログラムを含む、格納する、通信する、伝播する、又は伝送することができる任意の装置であってもよい。コンピュータ読み取り可能な記憶媒体のより具体的な例（非包括的なリスト）として、１つ又は複数の配線を備える電気接続部（ＩＰＭ，過電流保護回路）、ポータブルコンピュータディスクカートリッジ（磁気デバイス）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバデバイス、及びポータブルコンパクトディスク読み出し専用メモリ（ＣＤＲＯＭ）を含む。また、コンピュータ読み取り可能な記憶媒体は、前記プログラムが印刷され得る紙又は他の適切な媒体であってもよく、これは、例えば、紙や他の媒体を光学的スキャンし、次に編集し、解釈し、又は必要な場合に他の適切な形態で処理して前記プログラムを電子的に取得して、そしてコンピュータメモリに格納するからである。
【００５５】
なお、本発明の実施形態における各部分は、ハードウェア、ソフトウェア、ファームウェア、又はこれらの組み合わせによって実現することができる。上記実施形態において、複数のステップ又は方法は、メモリに記憶された且つ適切な命令実行システムによって実行されるソフトウェア又はファームウェアによって実現することができる。例えば、ハードウェアで実現される場合に、もう１つの実施形態と同様に、本分野において周知である、データ信号に対してロジック機能を実現するためのロジックゲート回路を備える離散ロジック回路、適切な組み合わせロジックゲート回路を備える特定用途向け集積回路、プログラマブルゲートアレイ（ＰＧＡ）、フィールドプログラマブルゲートアレイ（ＦＰＧＡ）などの当分野の周知技術のうちいずれか１つ又はこれらの組み合わせによって実現することができる。
【００５６】
普通の当業者であれば、上記の実施例に係る方法に含まれる全部又は一部のステップは、プログラムによってハードウェアを命令することで実行することができると理解することができる。前記プログラムは、１つのコンピュータ読み取り可能な記憶媒体に格納することができ、当該プログラムが実行される場合に、方法実施例におけるステップの１つ又はそれらの組み合わせが実行される。
【００５７】
また、本発明の各実施例における各機能ユニットは、１つの処理モジュールに集積されてもよいし、それぞれが個別の物理的存在であってもよいし、２つ以上のユニットが１つのモジュールに集積されてもよい。前記集積モジュールは、ハードウェアの形態で実現されてもよいし、ソフトウェア機能モジュールの形態で実現されてもよい。前記集積モジュールがソフト機能モジュールの形態で実現されるとともに、独立した製品として販売又は使用される場合に、１つのコンピュータ読み取り可能な記憶媒体に記憶されてもよい。
【００５８】
上記の記憶媒体は、読み出し専用メモリ、磁気ディスク、又はＣＤなどであってもよい。
【００５９】
以上、本発明の実施例を示して説明したが、上記実施例は例示するものであって、本発明を限定するためのものであると理解してはいけない。普通の当業者であれば、本発明の範囲内で上記の実施例に対して変更、修正、取り替え、変形を行うことができる。
【符号の説明】
【００６０】
表示パネル１０、表示領域１２、第１の接続辺１２２、第２の接続辺１２４、リード線領域１４、リード線１４２、第１の直線セクション１４２２、斜線セクション１４２４、折れ線セクション１４２６、第２の直線セクション１４２８、折り曲げ領域１４４、外部回路２０、回路基板２２、ドライバチップ２４、ＧＯＡユニット２６。
【図１】
2019533200.tif 000003
【図２】
2019533200.tif 000004
【図３】
2019533200.tif 000005
【図４】
2019533200.tif 000006
【国際調査報告】
2019533200.tif 000007
2019533200.tif 000008
2019533200.tif 000009
2019533200.tif 000010
2019533200.tif 000011